(57)【特許請求の範囲】
【請求項１】
レンチキュラーレンズシートと、前記レンチキュラーレンズシートの背面に出力画像を介して押圧される押圧板とからなり、前記押圧板と前記出力画像との摩擦力が、前記レンチキュラーレンズシートと前記出力画像との摩擦力よりも大であることを特徴とする表示体。
【請求項２】
前記押圧板の出力画像に接する側に、前記出力画像の面形状と同一もしくは大であり、かつ深さが前記出力画像の厚さより小である凹部を備えたことを特徴とする請求項１記載の表示体。
【請求項３】
前記レンチキュラーレンズシートと押圧板との少なくとも一方は丸板形状であることを特徴とする請求項１または２記載の表示体。
【請求項４】
前記押圧板は穴部または切り欠き部を有し、前記レンチキュラーレンズシートと前記押圧板とで挟まれた前記出力画像を、前記穴部または切り欠き部を介して手で動かすことができるように構成されたことを特徴とする請求項１記載の表示体。
【請求項５】
前記レンチキュラーレンズシートを前記レンチキュラーレンズシートのシリンドリカルレンズの長手方向に平行な軸を中心に揺動可能に支持する揺動支持体とを備えたことを特徴とする請求項１記載の表示体。
【請求項６】
前記レンチキュラーレンズシートを揺動させる揺動手段を備え、前記揺動手段によりレンチキュラーレンズシートを揺動させる揺動量を、前記レンチキュラーレンズシートの揺動による画像の繰り返しの１周期に対応させたことを特徴とする請求項５記載の表示体。
【請求項７】
振動板と、前記振動板をはじく加振部材と、前記加振部材を回転駆動する加振部材駆動手段とからなるオルゴールと、前記加振部材に連結され、前記加振部材の回転動作により前記レンチキュラーレンズシートを揺動させる偏心カムと、を備え、
前記加振部材駆動手段の動力により、前記加振部材を回転駆動させ、これに伴い前記偏心カムを回転させ、前記レンチキュラーレンズシートを前記レンチキュラーレンズシートのシリンドリカルレンズの長手方向に平行な軸を中心に揺動させることを特徴とする請求項５記載の表示体。
【請求項８】
出力画像はサーマルヘッドを用いて記録したものを用いることを特徴とする請求項１，２，４または５記載の表示体。
【発明の詳細な説明】
【０００１】
【発明の属する技術分野】
本発明は、写真，印刷，プリンタにより製造された出力画像をもとに、立体画，動画を表示する表示体に関するものである。
【０００２】
【従来の技術】
従来、絵や写真などを立体的に見えるようにするために、複数のかまぼこ型のレンズからなるレンチキュラーレンズシートを左右の眼に対応するように印刷した絵や写真の上に重ね合わせたものが知られている。図10はレンチキュラーレンズシートを用いて動画を観察する原理図であり、図10に示すように、用紙402上に左目用の画像Ａ1，Ａ2，……と右目用画像Ｂ1，Ｂ2，……とをストライプ状に印刷した絵412をその上に重ねられた前述のレンチキュラーレンズシート401を通してみることにより、左目410にはＡ1，Ａ2，……の画像が眼に写り、右目411にはＢ1，Ｂ2，……の画像が眼に写って立体的に見ることが可能となる。
【０００３】
また、図11はレンチキュラーレンズシートを用いて立体画を観察する原理図であり、図11に示すようにレンチキュラーレンズシート401を図10に対して90°回転させたものである。この状態では、左目410、右目411に同一の画像が写る。
512は動画用の絵であり、１つのレンズに６つの画像(数値１，２，…６で示している)を対応させているため、レンチキュラーレンズシート401と目との相対位置を変えることにより、６つの画像を動画的に観察することができる。
【０００４】
ここで、精度良く立体的または動画的に見えるようにするためには、印刷される画像が、レンチキュラーレンズシート401の各レンズの位置と精度良く合っている必要がある。例えば、特開平６−282018号公報に記載されたものは、プリンタを用いて立体画像の元となる画像を出力し、この出力画像にレンチキュラーレンズシート401を貼り合わせることにより立体写真を得るというものである。
【０００５】
図12は、従来の立体写真の断面図を示す。図12において、502は記録体であり、紙，合成紙，プラスチックフィルムからなる基材502a上に染着受容層502bを設けたものである。501は塩化ビニル樹脂，アクリル樹脂などからなる多数のかまぼこ型のレンチキュラーレンズを形成したレンチキュラーレンズシートである。513はレンチキュラーレンズシート501を記録体502に貼り合わせるための接着剤である。記録体502に昇華記録方式により立体画像の元となる画像を記録し、この画像が記録された記録体502にレンチキュラーレンズシート501を接着剤513を用いて貼り合わせて立体写真を得るというものである。
【０００６】
また、レンチキュラーレンズシートと絵や写真とを重ね合わせたものを回転駆動させることにより、より効果的に表示するという提案が実開平５−96881号公報に示されている。これはレンチキュラーレンズシートと絵や写真を重ね合わせたものを基台上の回転表示部に取り付けるとともに、その回転表示部を低速度で回転駆動させることにより異なる画像を次々と表示させるというものである。
【０００７】
【発明が解決しようとする課題】
しかしながら、立体写真などを得るにはレンチキュラーレンズシートと記録体とは微妙な位置合わせが必要であり、位置合わせした状態でレンチキュラーレンズシートと記録体とを接着剤で貼り合わせるというのは非常に難しい。
【０００８】
また、図12に例示した従来のような接着剤を用いてレンチキュラーレンズシートと記録体とを貼り合わせる場合、気泡の混入を防止するのも難しい。
【０００９】
さらに、一度記録体に貼り合わせたレンチキュラーレンズシートを記録体から離して別の記録体を貼り付けたい場合、接着剤にもよるがレンチキュラーレンズシートに残った接着剤の除去等が必要となり、手間がかかってしまう。
【００１０】
この課題に対し、レンチキュラーレンズシートに記録体の位置合わせを行い、その後、押圧板により記録体を押圧するという方法も容易に考えられる。しかしながら、この場合も、レンチキュラーレンズシート及び押圧板に何等工夫がなければ、レンチキュラーレンズに記録体を正確に位置合わせるのは困難である。
【００１１】
また、実開平５−96881号公報においては、回転表示部を回転運動させるための特別な駆動手段を備える必要がある。また、例えば１つのレンズに３つの連続的な画像を対応させている場合、回転表示部を回転運動させると３番目の画像の次に１番目の画像が表示され不連続な動画となってしまい、好ましくない。さらに回転表示部を往復運動させた場合においても、往復運動の量に注意を払わなければ、この場合も不連続な動画となってしまい好ましくない、といういくつかの課題があった。
【００１２】
本発明は上記課題に鑑み、レンチキュラーレンズシートと記録体との位置合わせを簡単な構成で容易に行うことができ、それにより、立体画、動画を良好に表示できる表示体を提供することを目的とする。また、特別な駆動手段を備えることなくレンチキュラーレンズシートを揺動させ動画を観賞できる表示体を提供することを目的とする。さらに、レンチキュラーレンズシートを揺動させ、不連続の状態のない動画を観賞できる表示体を提供することを目的とする。
【００１３】
【課題を解決するための手段】
この課題を解決するために請求項１記載の発明の表示体は、レンチキュラーレンズシートと、前記レンチキュラーレンズシートの背面に出力画像を介して押圧される押圧板とからなり、前記押圧板と前記出力画像との摩擦力が、前記レンチキュラーレンズシートと前記出力画像との摩擦力よりも大としたものである。
【００１４】
また、請求項２記載の発明の表示体は、押圧板の出力画像に接する側に、出力画像の面形状と同一もしくは大であり、かつ深さが前記出力画像の厚さより小である凹部を備えたものである。
【００１５】
また、請求項３記載の発明の表示体は、レンチキュラーレンズシートと押圧板と少なくとも一方は丸板形状としたものである。
【００１６】
また、請求項４記載の発明の表示体は、押圧板は穴部または切り欠き部を有し、レンチキュラーレンズシートと押圧板とで挟まれた出力画像を、穴部または切り欠き部を介して手で動かすことができるように構成されたものである。
【００１７】
また、請求項５記載の発明の表示体は、レンチキュラーレンズシートが、レンチキュラーレンズシートのシリンドリカルレンズの長手方向に平行な軸を中心に揺動可能に支持されたものである。
【００１８】
また、請求項６記載の発明の表示体は、レンチキュラーレンズシートを揺動させる揺動手段を備え、揺動手段によるレンチキュラーレンズシートを揺動させる揺動量を、前記レンチキュラーレンズシートの揺動による画像の繰り返しの１周期に対応させたものである。
【００１９】
また、請求項７記載の発明の表示体は、振動板をはじく加振部材の駆動手段を具備したオルゴールと、加振部材に連結され、加振部材の回転動作によりレンチキュラーレンズシートを揺動させる偏心カムと、を備え、その駆動手段の動力により、加振部材を回転駆動させ、これに伴い偏心カムを回転させ、レンチキュラーレンズシートをレンチキュラーレンズシートのシリンドリカルレンズの長手方向に平行な軸を中心に揺動させるものである。
【００２０】
【発明の実施の形態】
以下、本発明の各実施の形態について、図１から図９を用いて説明する。
【００２１】
（実施の形態１）
図１は本発明の実施の形態１における表示体の構成を示す外観斜視図である。図１において、１は、片面に複数のシリンドリカルレンズ(以降、単にレンズと呼ぶ)が形成されたレンチキュラーレンズシートであり、レンズの長手方向が水平方向となるようにしている。レンチキュラーレンズシート１は塩化ビニル樹脂，アクリル樹脂などの透明樹脂からなり、厚さが0.1〜１mm程度、レンズピッチが0.05〜0.8mm程度のものが用いられる。
【００２２】
２は出力画像であり、昇華型熱転写記録方式(サーマルヘッド)により専用紙に記録されたものであり、かつ、用いたサーマルヘッドの発熱体の並び方向(出力画像２での主走査方向)が、レンチキュラーレンズシート１のレンズの長手方向に対して垂直な方向に対応するように記録されたものである。レンチキュラーレンズシート１のレンズピッチは出力画像２を記録するのに用いたサーマルヘッドの発熱体ピッチの３倍となるようにしているため、３枚の絵を動画的に表示することができる。
【００２３】
３は長方形状の押圧板であり、樹脂板・金属板等からなる板部材３a上に弾性体３bを形成したものである。弾性体３bの材質は、ゴム，コルクが好ましいが、出力画像２をレンチキュラーレンズシート１に押圧板３で押圧したとき、出力画像２と押圧板３との摩擦力がレンチキュラーレンズシート１と出力画像２との摩擦力よりも大であり、かつ、レンチキュラーレンズシート１と出力画像２との接触が十分に取れるものであればゴム，コルクに限るものではない。
【００２４】
４は押圧板３によりレンチキュラーレンズシート１に出力画像２を押圧する押圧力を発生させるためのクリップである。５はレンチキュラーレンズシート１，押圧板３，クリップ４からなる表示体を傾斜させて支持するための傾斜支持板である。
【００２５】
以上のように構成された表示体について、以下、その動作を図１を用いて説明する。まず、出力画像２を押圧板３に載せる。次にレンチキュラーレンズシート１を出力画像２に載せ、レンチキュラーレンズシート１と押圧板３とを手動で軽く押圧する。
【００２６】
次にレンチキュラーレンズシート１越しの画像を目視で観察しながら、レンチキュラーレンズシート１と押圧板３とを手動で相対移動させ、レンチキュラーレンズシート１のレンズの所望の位置に出力画像が来るように位置決めする。このとき、出力画像２と押圧板３との摩擦力がレンチキュラーレンズシート１と出力画像２との摩擦力よりも大となるようにしているため、レンチキュラーレンズシート１と押圧板３とを手動で相対移動させる時、出力画像２は押圧板３との相対移動はなく、レンチキュラーレンズシート１に対してのみ相対移動させることができる。さらに、クリップ４を用いて位置決めした状態を維持する。
【００２７】
そして最後に傾斜支持板５を用いることにより、レンチキュラーレンズシート１を傾斜させた状態で保持させる。レンチキュラーレンズシート１のレンズピッチは、出力画像の記録時に使用したサーマルヘッドの発熱体ピッチの３倍となるように設定しているため、３枚の絵を動画的に表示することができる。
【００２８】
以上のように実施の形態１によれば、押圧板３と出力画像２との摩擦力が、レンチキュラーレンズシート１と出力画像２との摩擦力よりも大としたことにより、レンチキュラーレンズシート１に対する出力画像２の位置決めが容易な表示体を提供することができる。
【００２９】
なお、以上の説明では、レンチキュラーレンズシート１のレンズピッチは、出力画像２の記録時に使用したサーマルヘッドの発熱体ピッチの３倍となるように設定したが、これをＮ倍となるようにすればＮ枚の絵を動画的に表示することができる。
【００３０】
また、出力画像２には、出力時に用いたサーマルヘッドの発熱体の並び方向
(出力画像２の主走査方向)が、レンチキュラーレンズシート１のレンズの長手方向に対して垂直な方向に対応するように記録されたものを用いており、これにより、レンチキュラーレンズシート１と出力画像２との対応を非常に容易に行っている。つまり、サーマルヘッドの発熱体ピッチに対応させてレンチキュラーレンズシート１のレンズピッチを設定するだけで良い。しかしながら、出力画像２とレンチキュラーレンズシート１との位置が対応できるのであれば、レンチキュラーレンズシート１のレンズの長手方向に対して垂直な方向に対応するように記録された出力画像でもかまわない。さらには、出力画像２は、印刷，銀塩写真，インクジェット，電子写真方式による出力であっても、出力画像２とレンチキュラーレンズシート１との位置が対応できるのであればいずれの方式であってもかまわない。
【００３１】
また、レンチキュラーレンズシート１のレンズの長手方向が水平方向となるようにして動画出力を得ているが、レンズ長手方向を垂直方向とし立体出力を得ることもできる。
【００３２】
また、押圧板３は樹脂板・金属板等からなる板部材３a上に弾性体３bを形成したものを用いたが、レンチキュラーレンズシート１に出力画像２を良好に押圧できるなら、弾性体３bのみでもかまわず、さらには、弾性体３bに特別な弾性も不要である。
【００３３】
また、クリップ４を用いて位置決めした状態を維持したが、これは、ビス等を用いて固定する方法でもかまわない。
【００３４】
また、レンチキュラーレンズシート１に出力画像２を位置決めした後にクリップ４でレンチキュラーレンズシート１と押圧板３とを挾み込んだが、これは、レンチキュラーレンズシート１に出力画像２を介して押圧板３をクリップ４により押圧し、その後、レンチキュラーレンズシート１と押圧板３とを相対移動させてレンチキュラーレンズシート１に出力画像２を位置決めする方法でもかまわない。
【００３５】
（実施の形態２）
図２は本発明の実施の形態２における表示体の構成を示す図であり、押圧板側から見た図である。図１の構成と異なるのは、丸板形状の押圧板103を用いることである。また、わかりやすくするためにクリップ４と傾斜支持板５の図中への記載を省略している。
【００３６】
以上のように構成された表示体の動作は、実施の形態１とまったく同様である。なお、図３は、実施の形態１におけるレンチキュラーレンズシート１に出力画像２を押圧板３により位置決めした状態を示す図である。出力画像２を押圧板３に対して平行に載置できていれば問題はないが、平行に載置できていない場合、レンチキュラーレンズシート１に出力画像２の位置決めを行うと、図３のようにレンチキュラーレンズシート１と押圧板３とが傾いた状態になるため、見た目に好ましくない。しかしながら、図２のように押圧板103が丸板形状であれば、レンチキュラーレンズシート1と押圧板103とが傾いていても見た目には何も変わらない。
【００３７】
以上のように実施の形態２によれば、押圧板103を丸板形状としたため、特に注意を払わずに出力画像２を押圧板103に対して載置してもレンチキュラーレンズシート１と押圧板103とが傾いた状態にならない表示体を提供することができる。
【００３８】
なお、以上の説明では、押圧板103を丸板形状としたが、これはレンチキュラーレンズシート１が丸板形状でもよく、さらには押圧板103とレンチキュラーレンズシート１との両方が丸板形状であってもよい。
【００３９】
（実施の形態３）
図４は本発明の実施の形態３における表示体の構成を示す横断面図である。図４において、203は樹脂，金属等からなる板部材203a上に凹部203cを備えた弾性体203bを形成したものである。押圧板203の凹部203cの寸法Ｄ2は、出力画像２の面形状の寸法Ｄ1より多少大(Ｄ1＜Ｄ2)としており、かつ深さＨ2は出力画像２の厚みＨ1より小(Ｈ1＞Ｈ2)としている。実施の形態１と異なるのは押圧板203の構成のみであり、また、わかりやすくするためにクリップ４と傾斜支持板５の図中への記載を省略している。
【００４０】
以上のように構成された表示体について、以下、その動作を図４を用いて説明する。まず、出力画像２を押圧板203の凹部203cに嵌め込む。次にレンチキュラーレンズシート１を出力画像２に載せ、レンチキュラーレンズシート１と押圧板203とを手動で軽く押圧する。次に、レンチキュラーレンズシート１越しの画像を目視で観察しながら、レンチキュラーレンズシート１と押圧板203とを手動で相対移動させ、レンチキュラーレンズシート１のレンズの所望の位置に出力画像２が位置するように位置決めする。このとき、出力画像２は押圧板203の凹部203cに嵌め込まれているため、レンチキュラーレンズシート１と押圧板203とを手動で相対移動させるとき、出力画像２は押圧板203の凹部203cに規制されたことにより押圧板203との相対移動はなく、レンチキュラーレンズシート１に対してのみ相対移動することになる。
【００４１】
さらに、クリップ４を用いて位置決めした状態を維持する。そして最後に傾斜支持板５を用いることにより、レンチキュラーレンズシート１を傾斜させた状態で保持する。
【００４２】
以上のように実施の形態３によれば、押圧板203の出力画像に接する側に、面形状と同一もしくは大であり、かつ深さが出力画像２の厚さより小である凹部203cを備えたことにより、レンチキュラーレンズシート１に対する出力画像２の位置決めが容易な表示体を提供することができる。
【００４３】
（実施の形態４）
図５は本発明の実施の形態４における表示体の構成を示す図であり、レンチキュラーレンズシート１のレンズの押圧板側から見た図である。図１の構成と異なるのは押圧板303のみである。押圧板303は中央部に穴303aのあいた形状であり、また、単層で構成されている。出力画像２との摩擦力も特に注意する必要はないが、好ましくは摩擦力が低い方が良く、材質としては、樹脂，金属が用いられる。また、わかりやすくするためにクリップ４と傾斜支持板５の図中への記載を省略している。
【００４４】
以上のように構成された表示体について、以下、その動作を述べる。まず、レンチキュラーレンズシート１と押圧板303とで出力画像２を挟み込む。次に、この状態にて押圧板303の穴303aの部分から出力画像２を手で動かしレンチキュラーレンズシート１と出力画像２との位置合わせを行う。その後、図示なきクリップ４を用いて位置合わせした状態を維持する。
【００４５】
以上のように実施の形態４によれば、押圧板303に穴303aのあいたものを使用し、レンチキュラーレンズシート１と押圧板303とで出力画像２を挟み込んだ状態で出力画像２を手で動かすことができることにより、レンチキュラーレンズシート１に対する出力画像２の位置決めが容易な表示体を提供することができる。
【００４６】
なお、以上の説明では、押圧板303の形状は穴303aのあいた形状としたが、これは図６のように切り欠き303bがあるものでもよく、さらには図７のように押圧板303の大きさ303Ｄが出力画像２の大きさ２Ｄよりも小さいものでも構わない。
【００４７】
（実施の形態５）
図８は本発明の実施の形態５における表示体の構成を示す外観斜視図である。図８において、レンチキュラーレンズシート101はその両端上部にレンズの長手方向に対して平行の被支持軸101aを備えたものであり、また、６はレンチキュラーレンズシート101を揺動自在に支持する揺動支持体である。図１の構成と異なるのは、傾斜支持板５に代えて揺動支持体６を備えたことと、レンチキュラーレンズシート１に対して被支持軸101aを備えたレンチキュラーレンズシート101を用いることである。
【００４８】
以上のように構成された表示体について、以下、その動作を述べる。出力画像２をレンチキュラーレンズシート101と押圧板３とで挟み込み、その後、位置合わせを行いクリップ４でその状態を維持するところまでは実施の形態１とまったく同様である。その後、出力画像２を挾み込んだレンチキュラーレンズシート101の被支持軸101aの一方を揺動支持体６の一方の軸穴６a(左方)に嵌め込み、他方を揺動支持体６の他方の開放軸６b(右方)に嵌め込む。その後、指による力，吐息による風力等により、レンチキュラーレンズシート101をレンチキュラーレンズシート101の持つ被支持軸101aを中心に矢印ａ方向へ揺動させることができ、動画を観賞することができる。
【００４９】
以上のように実施の形態５によれば、レンチキュラーレンズシート101が揺動可能な構成であり、何等特別な駆動手段を備えることなく動画を観賞できる表示体を提供することができる。
【００５０】
また、以上の説明ではレンチキュラーレンズシート101に被支持軸101aを備えたが、これは押圧板３、またはクリップ４に被支持軸を備えても良く、さらには揺動可能であればどのような構成でも構わない。
【００５１】
また、レンチキュラーレンズシート101や押圧板３に重し等を付け、揺動の周期を最適化するのも好ましい。
【００５２】
（実施の形態６）
図９は本発明の実施の形態６における表示体の構成を示す外観斜視図である。図９において、７は長さの異なる複数の振動子を備えた振動板、８は表面に突起が設けられた加振部材であり、加振部材支持体９により回転可能に支持されている。10は加振部材８を回転させる加振部材駆動手段であり、ぜんまい，モータ等を用いている。これら振動板７，加振部材８，加振部材駆動手段10にていわゆるオルゴールを構成している。11は加振部材８に取り付けられた偏心カムである。図８の構成と異なるのは、振動板７，加振部材８，加振部材支持体９，加振部材駆動手段10，偏心カム11を取り付けたことである。
【００５３】
以上のように構成された表示体について、以下、その動作を述べる。レンチキュラーレンズシート101と出力画像２とを位置合わせした状態で揺動可能に保持するまでは実施の形態５とまったく同様である。この状態から加振部材駆動手段10を回転させ、加振部材駆動手段10につながった加振部材８を回転させる。加振部材８を回転させることにより加振部材８の表面の突起が振動板７の所望の振動子をはじき、所望の音が発生する。また加振部材８の回転に伴い偏心カム11も回転し、揺動可能に支持されたレンチキュラーレンズシート101が揺動される。これらの動作により、オルゴールの音色付きの動画を観賞することができる。
【００５４】
また、レンチキュラーレンズシート101を揺動させる揺動量も非常に重要である。レンチキュラーレンズシート101をある位置から揺動していくと観察できる画像が順次変化していく。本実施の形態６では、１つのレンズに３つの画像を対応させているが、その各々の画像を画像１，画像２，画像３とすると観察できる画像は、画像１，画像２，画像３，画像１，画像２，……と変化する。このとき、画像１，画像２，画像３が連続的な画像の場合、画像３の次に画像１が見えると不連続な状態となってしまう。この不連続な状態が起こると、動画のおもしろさが半減してしまい好ましくない。そこで本実施の形態では、画像１，画像２，画像３，画像２，画像１，画像２，画像３，画像２，……と観察できるようにレンチキュラーレンズシート101の揺動量を調整している。具体的には、偏心カム11の偏心量により揺動量を決定している。
【００５５】
以上のように実施の形態６によれば、オルゴールを駆動させる加振部材駆動手段10を、レンチキュラーレンズシート101を揺動させる揺動手段に兼用することにより、レンチキュラーレンズシート101を揺動させる特別な手段を備えずに、オルゴールの音色付き、かつ動画を観賞できる、安価な表示体を提供することができる。また、レンチキュラーレンズシート101の揺動による画像の繰り返しの１周期に対応させたものであるため、確実に連続的な動画を観賞することができる。
【００５６】
【発明の効果】
以上説明したように本発明によれば、押圧板と出力画像との摩擦力が、レンチキュラーレンズシートと出力画像との摩擦力よりも大としたことにより、レンチキュラーレンズシートに対する出力画像の位置決めが容易な表示体を提供することができる。
【００５７】
また、押圧板を丸板形状としたため、特に注意を払わずに出力画像を押圧板に対して載置してもレンチキュラーレンズシートと押圧板とが傾いた状態にならない表示体を提供することができる。
【００５８】
また、押圧板の出力画像に接する側に出力画像の面形状と同一もしくは大であり、かつ深さが出力画像の厚さより小である凹部を備えたことにより、レンチキュラーレンズシートに対する出力画像の位置決めが容易な表示体を提供することができる。
【００５９】
また、押圧板は穴部または切り欠き部を有し、表示体は、レンチキュラーレンズシートと押圧板とで挟まれた出力画像を、穴部または切り欠き部を介して手で動かすことができるように構成されたため、レンチキュラーレンズシートに対する出力画像の位置決めが容易な表示体を提供することができる。
【００６０】
また、レンチキュラーレンズシートが揺動可能な構成であるため、何等特別な駆動手段を備えることなく、動画を観賞できる表示体を提供することができる。
【００６１】
また、レンチキュラーレンズシートを揺動させる揺動量を、レンチキュラーレンズシートの揺動による画像の繰り返しの１周期に対応させたものであるため、確実に連続的な動画を観賞することができる。
【００６２】
また、オルゴールを駆動させる加振部材駆動手段を、レンチキュラーレンズシートを揺動させる揺動手段に兼用することにより、レンチキュラーレンズシートを揺動させる特別な手段を備えずに、オルゴールの音色付き、かつ動画を観賞できる、安価な表示体を提供することができる。
【図面の簡単な説明】
【図１】本発明の実施の形態１における表示体の構成を示す外観斜視図である。
【図２】本発明の実施の形態２における表示体の構成を示す図である。
【図３】本発明の実施の形態２における位置決めの効果を説明するための図である。
【図４】本発明の実施の形態３における表示体の構成を示す横断面図である。
【図５】本発明の実施の形態４における表示体の構成を示す図である。
【図６】本発明の実施の形態４における表示体に用いる押圧板の別の形状例図である。
【図７】本発明の実施の形態４における表示体に用いる押圧板の別の形状例図である。
【図８】本発明の実施の形態５における表示体の構成を示す外観斜視図である。
【図９】本発明の実施の形態６における表示体の構成を示す外観斜視図である。
【図１０】レンチキュラーレンズシートを用いて動画を観察する原理図である。
【図１１】レンチキュラーレンズシートを用いて立体画を観察する原理図である。
【図１２】従来の立体写真の断面図である。
【符号の説明】
１，101…レンチキュラーレンズシート、  ２…出力画像、  ３，103，203，303…押圧板、  ４…クリップ、  ５…傾斜支持板、  ６…揺動支持体、  ７…振動板、  ８…加振部材、  ９…加振部材支持体、  10…加振部材駆動手段、  11…偏心カム、  101a…被支持軸、  203a…板部材、  203b…弾性体、  203c…凹部、  303a…穴、  303b…切り欠き。
【図１】
0003717131.tif 000002
【図２】
0003717131.tif 000003
【図３】
0003717131.tif 000004
【図４】
0003717131.tif 000005
【図５】
0003717131.tif 000006
【図６】
0003717131.tif 000007
【図７】
0003717131.tif 000008
【図８】
0003717131.tif 000009
【図９】
0003717131.tif 000010
【図１０】
0003717131.tif 000011
【図１１】
0003717131.tif 000012
【図１２】
0003717131.tif 000013